(57)【要約】【課題】通信回線を維持しながら、データ信号の瞬断やレベル変動に起因する故障箇所を探索する。【解決手段】通信システム１の故障を探索するレベル変動検出器５０が、各通信装置１０，２０における故障発生回線の端子部（ＩＤＦ１２）に接続され、入力レベルの変動や瞬断状態を検知すると接点を閉じるリレー５２と、該リレー５２が接点を閉じた回数を表示するカウンタ５３と、入力レベルの検出値を設定するための設定部５４と、を備えており、端子部からの入力レベルが設定部５４によって設定された所定のレベルよりも低い場合、リレー５２が接点を閉じ、その回数をカウンタ５３に表示することで当該端子部の回線が故障していることを報知する。【選択図】図３
2018093451.tif 000002
【特許請求の範囲】
【請求項１】
複数の通信装置と、各前記通信装置の運用情報および故障情報を収集して通信ネットワークに伝送する通信用監視制御装置と、前記通信ネットワークを介して伝送される前記通信装置の運用情報および故障情報に基づき、各前記通信装置の構成、パフォーマンス、障害、および作業を管理するネットワーク運用管理装置と、を備えた通信システムの故障を探索する回線レベル断検出装置であって、
各前記通信装置における故障発生回線または中間配線盤の端子部に接続され、
入力レベルの変動や瞬断状態を検知すると接点を閉じるリレーと、
前記入力レベルの検出値を設定するための設定部と、を備え、
前記端子部からの入力レベルが前記設定部によって設定された所定のレベルよりも低い場合、前記リレーが接点を閉じることで当該端子部の回線が故障していることを報知する
ことを特徴とする回線レベル断検出装置。
【請求項２】
前記リレーが接点を閉じた回数を表示するカウンタを更に備え、
前記カウンタは、前記リレーが接点を閉じた回数を表示することで前記端子部の回線が故障していることを報知する
ことを特徴とする請求項１に記載の回線レベル断検出装置。
【請求項３】
前記通信用監視制御装置に接続され、
前記端子部からの入力レベルが前記設定部によって設定された所定のレベルよりも低い場合、前記リレーが接点を閉じることで前記通信用監視制御装置との接続が断たれると、当該通信用監視制御装置によって前記端子部の回線が故障していることを報知可能とする
ことを特徴とする請求項１または２に記載の回線レベル断検出装置。
【請求項４】
前記通信用監視制御装置からのリセット信号に基づいて、前記カウンタをリセットすることを特徴とする請求項３に記載の回線レベル断検出装置。
【発明の詳細な説明】
【技術分野】
【０００１】
本発明は、通信システムにおける回線断等の故障を探索する回線レベル断検出装置に関する。
【背景技術】
【０００２】
一般に、営業所通信機械室や発変電所等に設置されている通信用監視制御装置(ＳＶＥ：Supervisory Equipment)は、遠隔地としての有人監視所にあるネットワーク運用管理装置(ＮＭＳ：Network Management System)によって通信回線や通信装置を監視・制御している。このＳＶＥは、通信用遠隔監視制御装置ＴＣ（表示計測制御を行うテレメータ装置を含む。以下、「遠制装置」と称す）として機能し、電力系統や水系施設の運用監視および制御を健全かつ確実に実施する上で根幹となる装置である。
【０００３】
従来から、遠制装置は、長期間に亘る高信頼性を確保すべく、製品の設計および製造の段階から高品質の作りこみが行われ、現地に設置された後も定期的な点検等により健全性の維持が図られてきた。
【０００４】
この種のＳＶＥは、装置本体と、制御箇所との間の信号回線を含む、各部の異常を自動検出する機能を有し、異常を検出したときにＮＭＳを通じて即座に有人監視所に警報を発出する。そして、通信装置および通信回線の異常発生時は、現地に操作員を派遣し、修理が完了するまで、現地での対応が行われる。
【０００５】
現在の通信装置は、通信制御や装置本体のプロセスが基本的にデジタル処理されることや、構成部品の信頼性が高いことにより、故障率は極めて低くなっている。ただし、通信系路上の電気的アナログ部分等に生ずる伝送損失の増減が不安要素となり、さらに、通信線路が公道付近等の一般公衆環境を経由しているので、自然災害や、第三者による事故の波及を受けて障害を生じる可能性がある。そこで、制御所〜被制御所間の通信回線は、異なるルートによる２系列化を図ることが一般的になり、運転上は常時２系列の通信回線を健全に維持しておくことが望まれている。
【先行技術文献】
【特許文献】
【０００６】
【特許文献１】特開２００８−１５４２６８号公報
【発明の概要】
【発明が解決しようとする課題】
【０００７】
ところで、通信回線の不良には、通信装置の故障、通信ケーブルの断線、無線回線の障害等があるが、これらの不良は、災害や事故等による偶発的故障と、通信装置が異常を検出する信号レベルの低下（信号レベルが許容範囲の下限値より下がっても、異常を検出しない）等に見られる劣化的故障とに大別できる。偶発的故障は、予見し難いものであるが、劣化的故障は、前兆が把握できれば予見できる可能性が高い。
【０００８】
従って、劣化的故障に対しては、定期的な点検を実施することにより、比較的早期に劣化判断が可能になる。ただし、頻繁に点検を行うと、維持コストの上昇や装置の稼動効率の低下になるという問題がある。このため、電力会社では、５〜６年周期を目安に点検を実施している。これは、２ルートを有していることにより、一方のルートが故障しても、他方のルートは維持できるという期待に基づくものである。
【０００９】
しかしながら、通信装置の回線基板の中には、例えば弾器部のように、瞬断やレベル変動を検出する機能を有していないものがあり、この部位が故障して瞬断やレベル変動が生じた場合、ＮＭＳによって検知することができず、結果として、回線使用者の申告により回線障害を知ることとなる。ここで、瞬断やレベル変動は、発生・復旧のように一時的な現象であることが多く、継続しないことが大半であることから、レベル記録計を設置し、その記録データを所定時間経過後（数日後）に回収して、故障部位か否かを解析しているため、故障部位の探索に手間が掛り、多くの時間と労力を費やしている。
【００１０】
なお、特許文献１には、減衰器の減衰率の変化に応じて、基地局で受信した受信電力および受信データのエラー率を計算し、臨界値との比較結果に応じて移動局の送信出力を修正するリンク電力制御試験方法が開示されているが、２ルートの通信回線に対する異常検出レベルを点検するものではない。
【００１１】
そこで、本発明は上述したような問題に鑑みなされたものであり、その主たる目的は、通信回線を維持しながら、データ信号の瞬断やレベル変動に起因する故障箇所を探索することにある。
【課題を解決するための手段】
【００１２】
上記目的を達成するため、本発明に係る回線レベル断検出装置は、
複数の通信装置と、各前記通信装置の運用情報および故障情報を収集して通信ネットワークに伝送する通信用監視制御装置と、前記通信ネットワークを介して伝送される前記通信装置の運用情報および故障情報に基づき、各前記通信装置の構成、パフォーマンス、障害、および作業を管理するネットワーク運用管理装置と、を備えた通信システムの故障を探索する回線レベル断検出装置であって、
各前記通信装置における故障発生回線または中間配線盤の端子部に接続され、
入力レベルの変動や瞬断状態を検知すると接点を閉じるリレーと、
前記入力レベルの検出値を設定するための設定部と、を備え、
前記端子部からの入力レベルが前記設定部によって設定された所定のレベルよりも低い場合、前記リレーが接点を閉じることで当該端子部の回線が故障していることを報知することを特徴とする。
【００１３】
このとき、前記リレーが接点を閉じた回数を表示するカウンタを更に備え、
前記カウンタは、前記リレーが接点を閉じた回数を表示することで前記端子部の回線が故障していることを報知することとしても良い。
【００１４】
また、本発明に係る回線レベル断検出装置は、
前記通信用監視制御装置に接続され、
前記端子部からの入力レベルが前記設定部によって設定された所定のレベルよりも低い場合、前記リレーが接点を閉じることで前記通信用監視制御装置との接続が断たれると、当該通信用監視制御装置によって前記端子部の回線が故障していることを報知可能とすることとしても良い。
【００１５】
さらに、本発明に係る回線レベル断検出装置は、
前記通信用監視制御装置からのリセット信号に基づいて、前記カウンタをリセットすることとしても良い。
【発明の効果】
【００１６】
本発明によれば、リレーが接点を閉じることで、通信用監視制御装置から伝送される通信装置の運用情報および故障情報に基づき、ネットワーク運用管理装置が端子部の回線故障を報知できるので、通信回線を維持しながら、データ信号の瞬断やレベル変動に起因する故障箇所を探索することができる。
従って、実際に回線断等のトラブルが発生した際に、そのトラブルが発生した故障箇所を確実に検知できるので、通信システムにおける通信の信頼性・安定性を維持できる。また、回線断等のトラブルによる現場での監視制御対応を減らすことができる。よって、故障箇所の早期発見が期待でき、信頼性の向上、回線利用者へのサービス向上に繋がると共に、電力の安定供給を図ることができる。
【図面の簡単な説明】
【００１７】
【図１】本発明に係る通信システムの一実施形態を概略的に示す構成図である。
【図２】図１における通信回線を構築する搬送通信装置の構成を示す構成図である。
【図３】図１におけるレベル変動検出器の構成を示す要部拡大図である。
【図４】他の実施形態によるレベル変動検出器の構成を示す構成図である。
【図５】他の実施形態によるレベル変動検出器の構成を示す構成図である。
【発明を実施するための形態】
【００１８】
以下、本発明に係る回線レベル断検出装置の一実施形態について図面を参照しながら説明する。なお、本発明は、請求の範囲および明細書全体から読み取ることのできる発明の要旨または思想に反しない範囲で適宜変更可能であり、そのような変更を伴う回線レベル断検出装置もまた本発明の技術思想に含まれる。
【００１９】
本実施形態の回線レベル断検出装置であるレベル変動検出器は、通信システムにおける回線断等の故障を探索するものであり、入力レベルの変動や瞬断状態を検知すると接点を閉じるリレーと、このリレーが接点を閉じた回数を表示するカウンタと、入力レベルの検出値を設定するための設定部と、を備えて構成されている。そして、かかるレベル変動検出器は、通信システムにおける複数の通信装置のうち、故障発生回線の端子部（中間配線盤（ＩＤＦ：Intermediate Distribution Frame）等）に接続され、端子部からの入力レベルが設定部によって設定された所定のレベルよりも低い場合、リレーが接点を閉じ、その回数をカウンタに表示することで当該端子部の回線が故障していることを報知する。このとき、レベル変動検出器を通信用監視制御装置に接続しておけば、リレーが接点を閉じることで、当該通信用監視制御装置によって端子部の回線が故障していることを報知できる。これによれば、通信回線を維持しながら、データ信号の瞬断やレベル変動に起因する故障箇所を探索できる。
【００２０】
＜システムの構成と概要＞
図１は、本発明の一実施形態に係るレベル変動検出器５０を備えた通信システム１の構成を示す概略図である。なお、以下の説明において、通信装置１０は営業所通信機械室に設置され、通信装置２０は変電所の制御室に設置される場合について述べるが、一例であってこれに限ることはない。
【００２１】
かかる通信システム１は、営業所通信機械室に設置される通信装置１０と、発変電所等（この場合、例えば変電所の制御室）に設置される通信装置２０とを有しており、これら通信装置１０，２０は、２ルートの通信回線６０，７０が、主に後述する搬送通信装置８０（図２参照）にて構成される１２ｄＢｍ増幅機能を有する通信伝送装置を介して接続され、相互に通信可能に構成されている。通信回線は、２ルート化されており、通信回線６０（以下、Ａルート回線６０と称す）と、通信回線７０（以下、Ｂルート回線７０と称す）とを有して構成されている。
【００２２】
かかる搬送通信装置８０は、ＭＵＸ（多重変換装置）として構成され、図２に示すように、回路基板におけるチャネル部位８１が、データ信号を減衰（調整）させて通信装置（不図示）に出力する減衰器８２（アッテネータ。以下、ＡＴＴ８２と称す）と、弾器部８３と、を備えている。また、この搬送通信装置８０は、多重部８４と伝送部８５とを備えている。そして、この搬送通信装置８０は、複数チャネルのＰＤＨ信号列をスタッフ同期処理した後、多重化して無線等対向先に光ファイバーケーブルまたは空間を通信媒体として伝送する。なお、搬送通信装置としては、この他、例えば同期型光ネットワークであるＳＯＮＥＴ（Synchronous Optical Network）／ＳＤＨ（Synchronous Digital Hierarchy）や、ＰＤＨ（Plesiochronous Digital Hierarchy）、ＡＤＭリング構成、一対一の対向構成などであっても良い。また、伝送部８５を多重部８４に対して２つ並列に設けることで、ＳＤＨリング装置を構成することもできる。
【００２３】
通信装置１０は、通信切替装置１１と、ＩＤＦ１２を介して接続された配電線ＴＣ親局１３とを備え、ＩＤＦ１４を介してＡルート回線６０およびＢルート回線７０のそれぞれに接続されている。通信装置２０は、通信切替装置２１と、ＩＤＦ２２を介して接続された配電線ＴＣ子局２３とを備え、ＩＤＦ２４を介してＡルート回線６０およびＢルート回線７０のそれぞれに接続されている。通信切替装置１１は、入力されたデータ信号を分配器であるＨＹＢ１１ａを介して分配し、搬送通信装置８０にて増幅したデータ信号を通信切替装置２１のレベル断検出自動切替スイッチ２１ｂによって接続されたルート（この場合、Ａルート回線６０）を介して伝送する。同様に、通信切替装置２１は、入力されたデータ信号を分配器であるＨＹＢ２１ｂを介して分配し、搬送通信装置８０にて増幅したデータ信号を通信切替装置１１のレベル断検出自動切替スイッチ１１ｂによって接続されたルート（この場合、Ａルート回線６０）を介して伝送する。なお、配電線ＴＣ親局１３および配電線ＴＣ子局２３におけるＴＣとは、遠隔監視制御装置（Telecommunication）の略称である。また、搬送通信装置８０では、それぞれ入力する信号に対し、ＤＡ／ＡＤ変換やＡＤ／ＤＡ変換を行うが、周知の技術であるため、便宜上ここでは説明を省略する。
【００２４】
営業所通信機械室に設置される通信用監視制御装置(ＳＶＥ：Supervisory Equipment)３０は、遠隔地である維持担当箇所（電力所の通信課執務室等）に設置されているネットワーク運用管理装置(ＮＭＳ：Network Management System)４０と通信ネットワークＮＷを介して接続されており、相互に通信可能に構成されている。通信ネットワークＮＷは、有線方式もしくは無線方式の通信手段であって、例えば、ＬＡＮ、ＷＡＮ、インターネット、電力線通信（ＰＬＣ：Power Line Communication）等の通信網、専用線、メタル線、光ファイバ等）などで構成される。また、不図示のルータや回線交換機などで構成される中継局を介在しても良い。
【００２５】
そして、ＳＶＥ３０は、通信回線（Ａルート回線６０，Ｂルート回線７０）に関する警報を含む各通信装置１０，２０の運用情報や故障情報等を収集し、通信ネットワークＮＷを介してＮＭＳ４０に送信することで、通信用監視制御装置として機能するようになっている。ＮＭＳ４０は、通信ネットワークＮＷを介してＳＶＥ３０から伝送される計測情報や警報を含む通信装置１０，２０の運用情報および故障情報等を受信し、表示すると共に、これら計測情報や警報を含む通信装置１０，２０の運用情報および故障情報等に基づき、各通信装置１０，２０の構成や、パフォーマンス、障害、作業等を管理する。
【００２６】
本実施形態の場合、営業所通信機械室の通信装置１０には、ＩＤＦ１２における配電線ＴＣ親局１３と通信切替装置１１との入力側接点にレベル変動検出器５０の入力側が接続されている。
【００２７】
このレベル変動検出器５０は、図３に示すように、外部電源（乾電池やＡＣ１００Ｖの商業電源等）からの電力に基づいて駆動するもので、ワニ口クリップ等で構成される端子接続部５１を備えており、この端子接続部５１によって、ＩＤＦ１２における配電線ＴＣ親局１３と通信切替装置１１との入力側接点に接続される。
【００２８】
また、レベル変動検出器５０は、入力レベルの変動や瞬断状態を検知すると接点を閉じるリレー５２と、このリレー５２が接点を閉じた回数を表示するカウンタ５３と、入力レベルの検出値を設定するための設定ボリューム等からなる設定部５４と、カウンタ５３をリセットするためのリセットボタン５５と、を備えて構成されている。
【００２９】
そして、レベル変動検出器５０では、設定部５４により予め入力レベルに対する許容値として所定のレベル（例えば、５ｄＢや１０ｄＢ）を設定しておく。これにより、各通信装置１０，２０における故障発生回線の端子部（この場合、例えばＩＤＦ１２における配電線ＴＣ親局１３と通信切替装置１１との入力側接点）からの入力レベルが設定部５４によって設定された所定のレベルよりも低い場合、継続中リレー５２が接点を閉じ、その回数をカウンタ５３に表示することで、当該端子部の回線において瞬断やレベル変動による故障が生じていることを報知することができる。
【００３０】
このとき、レベル変動検出器５０のＩ／Ｆであるデジタルアウト５６（ＤＯ５６）をＳＶＥ３０に接続することで、前述の故障の発生情報（検知情報）をＳＶＥ３０に伝送し、当該ＳＶＥ３０によるブザー等の警報や、ＳＶＥ３０からＮＭＳ４０へ伝送し、当該ＮＭＳ４０による表示によって報知することが可能となる。
【００３１】
従って、通信システム１において、レベル変動検出器５０を通信装置１０と通信装置２０との間の各接続部における上流側から下流側または下流側から上流側へ順次移動しながら接続することにより、データ信号の瞬断やレベル変動に起因する故障箇所（故障発生回線）を探索できる。因みに、レベル変動検出器５０は、少なくとも接続箇所を変更する毎にリセットボタン５５によってカウンタ５３をリセットすることが好ましい。なお、レベル変動検出器５０のＩ／Ｆであるデジタルイン５７ａ（ＤＩ５７ａ）をＳＶＥ３０と接続することにより、当該ＳＶＥ３０によってカウンタ５３をリセット可能とすることができる。
【００３２】
さらに、このレベル変動検出器５０では、ＤＯ５６にＤＩ５７ｂを介してＳＶＥ３０から指示されることによって開閉制御されるスイッチ５６ａが設けられている。これにより、故障の発生・復旧が繰り返され、ＮＭＳ４０に対して同じ故障表示が継続することに起因して他の装置の監視情報が埋もれてしまうチャタリングを防止可能なように機能するようになっている。
【００３３】
また、レベル変動検出器５０は、端子接続部５１に加えて弾器端子部５８を備えている。この弾器端子部５８は、Ｕリンク接続された送信部５８ａおよび受信部５８ｂと接続される弾器コード（不図示）を有している。さらに、端子接続部５１と、これら送信部５８ａおよび受信部５８ｂとには、リレー５２との間にＤＩ５７ｃによって切替制御されるスイッチ５９ａとＤＩ５７ｄによって切替制御されるスイッチ５９ｂが設けられている。そして、端子接続部５１がＩＤＦ１２等に接続されると、当該端子接続部５１側にスイッチ５９ａが切り替わり、リレー５２と接続される。また、弾器端子部５８が弾器部８３に接続されると、当該弾器端子部５８側にスイッチ５９ａが切り替わり、リレー５２と接続される。このとき、弾器端子部５８において、送信部５８ａが接続されるとスイッチ５９ｂが送信部５８ａ側に切り替わり、受信部５８ｂが接続されるとスイッチ５９ｂが受信部５８ｂ側に切り替わることで、スイッチ５９ａを介してリレー５２と接続される。
【００３４】
そして、レベル変動検出器５０は、ＩＤＦ１２や搬送通信装置８０とＩＤＦ９０との接続部等に対してワニ口クリップ等からなる端子接続部５１が接続されるか、搬送通信装置８０の回路基板における弾器部８３に対して弾器コードからなる弾器端子５８が接続され、ＳＶＥ３０に対してＤＯ５６が接続されることで、アナログ・デジタル回線関係なく、瞬断やレベル変動を検出して故障箇所を探索することができる。しかも、この検出した前述の故障の発生情報（検知情報）をＳＶＥ３０に伝送することで、当該ＳＶＥ３０においてブザー等により警報を発することができ、更には当該検知情報をＳＶＥ３０からＮＭＳ４０へ伝送することで、ＮＭＳ４０において表示することにより報知することができる。
【００３５】
以上説明したように、本実施形態によれば、通信システム１において、複数台の通信装置１０，２０を設置することにより、より短期間で故障判定が可能となる。従って、配電線ＴＣ親局１３と配電線ＴＣ子局２３とを結ぶ回線を、無瞬断や回線停止なしの状態でＩＤＦ１２やＩＤＦ２２等に接続できる。
【００３６】
詳細には、レベル変動検出器５０は、通信装置１０と通信装置２０との間およびＳＶＥ３０とＮＭＳ４０との間の通信機能を維持した状態において、通信装置１０と通信装置２０との間の各接続部における上流側から下流側または下流側から上流側へ順次移動しながら接続することにより、データ信号の瞬断やレベル変動に起因する故障箇所（故障発生回線）を探索できる。従って、通信システム１の通信機能を維持しながら、通信回線における故障を確実に検出することができる。
【００３７】
また、本実施形態によれば、実際に回線断等のトラブルが発生した際に、レベル変動検出器５０によって、そのトラブルが発生した故障箇所を確実に検知できるので、通信システム１における通信の信頼性・安定性を維持できる。さらに、回線断等のトラブルによる現場での監視制御対応を減らすことができる。よって、故障箇所の早期発見が期待でき、信頼性の向上、回線利用者へのサービス向上に繋がると共に、電力の安定供給を図ることができる。
【００３８】
＜その他の実施形態＞
以上、本発明を実施するための形態について説明したが、上述の実施形態は本発明の理解を容易にするためのものであり、本発明を限定して解釈するためのものではない。本発明はその趣旨を逸脱することなく変更、改良され得ると共に、本発明にはその等価物も含まれる。
【００３９】
よって、以下のような実施形態であっても良い。
例えば、図３との対応部分に同一符号を付した図４に示すように、レベル変動検出器５０は、弾器端子部５８および送信部５８ａ，受信部５８ｂと、これらに関係するスイッチ５９ａ，５９ｂと、チャタリング防止として機能するスイッチ５６ａと、ＤＩ５７ｂとが省かれている点を除き、上述した実施形態のレベル変動検出器５０と同様に構成されてなる。
【００４０】
そして、このレベル変動検出器５０では、上述の実施形態と同様に、各通信装置１０，２０における故障発生回線の端子部（例えば、ＩＤＦ１２における配電線ＴＣ親局１３と通信切替装置１１との入力側接点）からの入力レベルが、設定部５４によって予め設定された所定のレベルよりも低い場合、継続中リレー５２が接点を閉じ、その回数をカウンタ５３に表示する。一方、この故障の発生情報（検知情報）をＤＯ５６が接続されるＳＶＥ３０に伝送し、当該ＳＶＥ３０においてブザー等の警報を発したり、当該検知情報をＳＶＥ３０からＮＭＳ４０へ伝送して当該ＮＭＳ４０において表示したりする。これにより、アナログ・デジタル回線関係なく、瞬断やレベル変動を検出（報知）可能とすることで故障箇所を探索することが可能となっている。
【００４１】
従って、この場合、弾器端子部５８および送信部５８ａ，受信部５８ｂと、これらに関係するスイッチ５９ａ，５９ｂと、チャタリング防止として機能するスイッチ５６ａと、ＤＩ５７ｂとが省かれている分、瞬断やレベル変動を検出（報知）可能とする機能は維持したままで、レベル変動検出器５０の構成を上述した実施形態のレベル変動検出器５０より構造を簡略化でき、部品数を削減できる分、製造コストを大幅に削減できる。
【００４２】
さらに、レベル変動検出器５０を、この状態からカウンタ５３やリセットボタン５５、ＤＩ５７を省いて構成することで、瞬断やレベル変動を検出（報知）可能とする機能は維持したままで、更にシンプルな態様とすることも可能である。
【００４３】
また、図３との対応部分に同一符号を付した図５に示すように、レベル変動検出器５０は、カウンタ５３と、リセットボタン５５と、チャタリング防止として機能するスイッチ５６ａおよびＤＩ５７ａ，５７ｂとが省かれている点を除き、上述した実施形態のレベル変動検出器５０と同様に構成されていても良い。
【００４４】
この場合も、上述した実施形態と同様に、アナログ・デジタル回線関係なく、瞬断やレベル変動を検出（報知）可能とすることで故障箇所を探索することが可能であり、カウンタ５３と、リセットボタン５５と、チャタリング防止として機能するスイッチ５６ａおよびＤＩ５７ａ，５７ｂとが省かれている分、瞬断やレベル変動を検出（報知）可能とする機能は維持したままで、レベル変動検出器５０の構成を上述した実施形態のレベル変動検出器５０より構造を簡略化でき、部品数を削減できる分、製造コストを大幅に削減できる。
【符号の説明】
【００４５】
１  通信システム
１０，２０  通信装置
１１，２１  通信切替装置
１２，１４，２２，２４，９０  ＩＤＦ（中間配線盤：故障発生回線の端子部）
１３  配電線ＴＣ親局
２３  配電線ＴＣ子局
３０  ＳＶＥ(通信用監視制御装置)
４０  ＮＭＳ(ネットワーク運用管理装置)
５０  レベル変動検出器（回線レベル断検出装置）
５１  端子接続部
５２  リレー
５３  カウンタ
５４  設定部
５５  リセットボタン
５６  ＤＯ
５６ａ  スイッチ
５７（５７ａ，５７ｂ）  ＤＩ
５８  弾器端子部
５８ａ  送信部
５８ｂ  受信部
５９ａ，５９ｂ  スイッチ
６０  Ａルート回線（通信回線）
７０  Ｂルート回線（通信回線）
８０  搬送通信装置
８１  チャネル部位
８２  ＡＴＴ（アッテネータ：減衰器）
８３  弾器部
８４  多重部
８５  伝送部
ＮＷ  通信ネットワーク
【図１】
2018093451.tif 000003
【図２】
2018093451.tif 000004
【図３】
2018093451.tif 000005
【図４】
2018093451.tif 000006
【図５】
2018093451.tif 000007